(57)【要約】【課題】遊技機の裏面側に設けられる部品を容易且つ迅速に着脱することができる遊技機を得る。【解決手段】遊技盤１００の裏面１００Ｂに設けられるアダプター１８０に対し、主基板１７０の裏面視右側端部に設けた係合片２３２を、アダプター１８０の係合凹部１９２に係合させた後、主基板１７０の裏面視左側端部に設けた固定部２１８の貫通孔２２０を、アダプター１８０の貫通孔１９４にファスナー１７２によってカシメ固定する。これにより、遊技機本体の開放量を大きくしなくても、主基板１７０を遊技機本体の開放された他側部側から裏面側に進入させてアダプター１８０に取り付けられるようになり、主基板１７０が容易且つ迅速に取り付けられる。【選択図】        図６
2004337194.tif 000002
【特許請求の範囲】
【請求項１】
遊技機枠に一側部が軸支され開閉可能とされた遊技機本体と、
前記遊技機本体の裏面側に設けられ、前記一側部と同じ側の側部に配置された第１係合部及び一側部とは反対側の側部に配置された第１固定部を備える部品取付体と、
前記第１係合部に係脱可能な第２係合部及びその第２係合部が第１係合部に係合された状態で前記第１固定部と対応して配置される第２固定部を備える部品と、
前記第１固定部と前記第２固定部の間に係脱可能に設けられ、その係合された状態で前記第２固定部を前記第１固定部に固定する固定手段と、
を有することを特徴とする遊技機。
【請求項２】
前記部品は、前記遊技機本体を電気的に制御する制御基板と、前記制御基板を内部に収納して被覆するとともに前記第２係合部及び前記第２固定部が設けられたケースと、を備えるケース部品とされていることを特徴とする請求項１記載の遊技機。
【請求項３】
遊技機本体の裏面側に設けられ、一端部に配置された第１係合部及び前記一端部と対向する他端部に配置された第１固定部を備える部品取付体と、
前記遊技機本体を電気的に制御する制御基板と、前記制御基板を内部に収納して被覆する分割可能に構成されたケースと、前記ケースの一端部に設けられ前記第１係合部に係脱可能な第２係合部と、前記ケースの他端部に設けられ前記第２係合部が前記第１係合部に係合された状態で前記第１固定部と対応して配置される第２固定部と、前記第２係合部及び前記第２固定部の少なくとも何れか一方に組み込まれ、前記ケースを分割不能に固定及び分割可能に固定解除できるとともにその固定解除された回数が識別可能とされたケース固定手段と、を備えるケース部品と、
前記第１固定部と前記第２固定部の間に係脱可能に設けられ、その係合された状態で前記第２固定部を前記第１固定部に固定する固定手段と、
を有することを特徴とする遊技機。
【請求項４】
前記ケース固定手段は、前記ケースを構成する一方のケース構成部材に設けられた複数の固定部材と、他方のケース構成部材に前記複数の固定部材と対応して設けられた複数の固定部材取付部と、を備え、複数の固定部材の何れか一つが対応する前記固定部材取付部に取り付けられることによりその固定部材と固定部材取付部とは分離不能に固定されてケースを分割不能に固定し、且つ、その固定された固定部材が前記一方のケース構成部材から分断されることによりケースを分割可能に固定解除する構成とされ、
前記第２係合部及び前記第２固定部の少なくとも何れか一方には前記固定部材取付部が組み込まれることを特徴とする請求項３記載の遊技機。
【請求項５】
前記固定手段は、前記第１固定部に設けられた第１貫通孔及び前記第２固定部に設けられ前記第１貫通孔と同心的に配置される第２貫通孔に挿脱可能とされ、その第１貫通孔及び第２貫通孔に挿通された状態で第２固定部を第１固定部にカシメ固定する留め具とされていることを特徴とする請求項１〜請求項４の何れか１項記載の遊技機。
【発明の詳細な説明】
【０００１】
【発明の属する技術分野】
本発明は遊技機に係り、詳細には、遊技機の裏面側に設けられる部品が着脱可能に構成された遊技機に関する。
【０００２】
【従来の技術】
パチンコ機やパチスロ機等の遊技機では、遊技機の裏面側に複数の制御基板（回路基板）が設けられている。通常、この制御基板は、基板上の電気部品を他の導電部品との接触によるショートや損傷等から保護するためケースに収納されており、そのケースについては、内部が視認可能な透明の樹脂材料製で、基板の表裏方向等に分割できる構造とされている。また、遊技機への取り付けでは、故障修理やメンテナンス等での着脱作業性を良好にするため、ドライバー等の工具を用いるネジ止め固定ではなく、作業者が素手により制御基板をケース毎着脱できるようになっている。
【０００３】
このケースに被覆された制御基板の取付構造について、パチンコ機の例では、略直方体の箱状とされたケース（回路基板収納ボックス）の取付面側の上下縁部（一方辺及び他方辺）に一対の取付片を設け、下側の取付片は、機器本体（前面枠）裏面の機構板に設けられた下部保持部材に嵌め込んで保持及び位置決めし、上側の取付片は、上部保持部材に設けられたばねにより押圧保持するものがある（例えば、特許文献１参照）。
【０００４】
また他には、遊技盤の裏面に設けられた部品取付体にケース（ケース体）の前面を重ね合わせてケース側のガイド突起を部品取付体側のガイド溝に嵌め合わせ、ケースをそのガイド機構に倣わせて横方向へスライドさせることにより、ケース側の開口部及びフック部を、部品取付体側の各フック部に係合させるとともに、その係合状態で、部品取付体の左右側端部に設けられたロック部材（部品取付体ピース及び係合レバー）により、ケースをロックし固定するものがある（例えば、特許文献２参照）。
【０００５】
【特許文献１】
実公昭６３−４８３０２号公報  （第３−４頁、第３図、第４図、第５図）
【特許文献２】
特開２００２−１５９７０４公報  （第３−４頁、第１図、第２図）
【０００６】
【発明が解決しようとする課題】
しかしながら、上述した特許文献１の例では、ケースの上側の取付片を、上部保持部材のばねにより保持又は保持解除する際に、ケースをパチンコ機の後側へ傾ける必要がある。そのため、このケース（制御基板）の着脱では、遊技機枠に対し機器本体を大きく開放しなければならず、その操作が面倒である。例えば、故障修理等で、制御基板の着脱（又は交換）とパチンコ機の動作確認を繰り返し行うような場合には、それに伴い開閉される機器本体の開閉量が大きいと迅速な作業の妨げになる。
【０００７】
一方、特許文献２の場合は、ケースを部品取付体に重ね合わせる際に、作業者はガイド突起及びガイド溝を視認することができないため、その位置合わせ作業性が悪い問題がある。また、ケースの取り外しでは、作業者は、左右のロック部材を両手で同時にロック解除操作するため、機器本体の裏面が自分に向き合う程度まで機器本体を開く必要がある。したがって、この場合も機器本体の開閉量は大きくされその操作が手間となる。
【０００８】
また、特許文献２にも記載されているように、近年では、主基板（主制御装置）や払出制御基板等のケースに、ＲＯＭ交換等の不正な改造行為を防止するためのケース固定手段（固定ブロック）が設けられている。しかし、このケース固定手段は、４本あるいは８本等の複数本のネジが組み込まれるためケースの端部から大きく突出しており、これによって、他の部品を配置するスペースが縮小されている。特に、特許文献２の例では、ケース固定手段はケースの下縁部に配置されているため、ケースを横方向へスライドさせる際に他の部品と干渉しないよう、少なくともケース固定手段の移動範囲には空きスペースを確保する必要がある。したがって、他部品の配置スペースが更に縮小されてしまう問題がある。
【０００９】
本発明は上記事実を考慮して、遊技機の裏面側に設けられる部品を容易且つ迅速に着脱することができる遊技機を提供することを課題とする。また、遊技機の裏面側に設けられる部品を小型化し他部品の配置スペースを拡大することができる遊技機を提供することを課題とする。
【００１０】
【課題を解決するための手段】
上記目的を達成するために請求項１に記載の発明は、遊技機枠に一側部が軸支され開閉可能とされた遊技機本体と、前記遊技機本体の裏面側に設けられ、前記一側部と同じ側の側部に配置された第１係合部及び一側部とは反対側の側部に配置された第１固定部を備える部品取付体と、前記第１係合部に係脱可能な第２係合部及びその第２係合部が第１係合部に係合された状態で前記第１固定部と対応して配置される第２固定部を備える部品と、前記第１固定部と前記第２固定部の間に係脱可能に設けられ、その係合された状態で前記第２固定部を前記第１固定部に固定する固定手段と、を有することを特徴としている。
【００１１】
請求項１に記載の発明では、部品を、遊技機本体の裏面側に取り付けるため、遊技機本体の裏面側に設けられた部品取付体の第１係合部に、部品の第２係合部を係合させると、部品取付体の第１固定部には部品の第２固定部が対応して配置される。その第１固定部と第２固定部の間に設けられた、例えば弾性変形可能に構成されたフック、往復動可能に構成されたスライダーや回動可能に構成されたロック部材等の固定手段を係合状態にすると、第２固定部は第１固定部に固定される。これにより、部品は、部品取付体を介して遊技機本体の裏面側に取り付けられる。また、固定手段を離脱させ係合状態を解除すると、第２固定部は第１固定部から分離されるとともに第２係合部は第１係合部から離脱可能となる。これにより、部品は部品取付体から取り外される。
【００１２】
そしてここでは、部品取付体の第１係合部は、遊技機枠に一側部が軸支され開閉可能とされた遊技機本体の、その一側部と同じ側の側部に配置されており、また第１固定部は、一側部とは反対側の側部に配置されている。すなわち、第１係合部及び第１固定部は、遊技機枠の支軸と略直交する向きに沿って配列されるとともに、第１係合部は支軸側に、第１固定部は開放端側に配設される。これにより、部品の取り付けでは、遊技機本体の開放量を大きくしなくても、すなわち遊技機本体の裏面側に設ける作業スペースが小さくても、部品を遊技機本体の開放された他側部側から裏面側に進入させて、その進入方向の奥側に配置された部品取付体の第１係合部に第２係合部を係合させるとともに、進入方向の手前側に配置された部品取付体の第１固定部に第２固定部を固定することができる。また、部品を取り外す際も同様に、遊技機本体の開放量を大きくしなくても、遊技機本体を開放すると遊技機本体裏面の開放端側に現れる第２固定部を部品取付体の第１固定部から取り外し、奥側の第２係合部を部品取付体の第１係合部から離脱させて、そのまま部品を開放端側に移動させ取り外すことができる。したがって、遊技機の裏面側に設けられる部品が容易且つ迅速に着脱できるようになる。
【００１３】
また、請求項１に記載の遊技機における部品については、請求項２に記載の発明のように、前記部品は、前記遊技機本体を電気的に制御する制御基板と、前記制御基板を内部に収納して被覆するとともに前記第２係合部及び前記第２固定部が設けられたケースと、を備えるケース部品としてもよい。
【００１４】
請求項３に記載の発明は、遊技機本体の裏面側に設けられ、一端部に配置された第１係合部及び前記一端部と対向する他端部に配置された第１固定部を備える部品取付体と、前記遊技機本体を電気的に制御する制御基板と、前記制御基板を内部に収納して被覆する分割可能に構成されたケースと、前記ケースの一端部に設けられ前記第１係合部に係脱可能な第２係合部と、前記ケースの他端部に設けられ前記第２係合部が前記第１係合部に係合された状態で前記第１固定部と対応して配置される第２固定部と、前記第２係合部及び前記第２固定部の少なくとも何れか一方に組み込まれ、前記ケースを分割不能に固定及び分割可能に固定解除できるとともにその固定解除された回数が識別可能とされたケース固定手段と、を備えるケース部品と、前記第１固定部と前記第２固定部の間に係脱可能に設けられ、その係合された状態で前記第２固定部を前記第１固定部に固定する固定手段と、を有することを特徴している。
【００１５】
請求項３に記載の発明では、ケース部品は、遊技機本体を電気的に制御する制御基板が、分割可能に構成されたケースの内部に収納されて被覆されており、またケース固定手段によって、ケースは分割不能に固定及び分割可能に固定解除されるとともに、その固定解除された回数が識別可能とされる。そしてケースの固定解除回数は検査の際にチェックされ、これにより、ケースを任意に分割して制御基板を改造するような不正行為が防止される。
【００１６】
このケース部品を、遊技機本体の裏面側に取り付けるため、遊技機本体の裏面側に設けられた部品取付体の第１係合部に、ケース部品の第２係合部を係合させると、部品取付体の第１固定部にはケース部品の第２固定部が対応して配置される。その第１固定部と第２固定部の間に設けられた固定手段を係合状態にすると、第２固定部は第１固定部に固定される。これにより、ケース部品は、部品取付体を介して遊技機本体の裏面側に取り付けられる。また、固定手段を離脱させ係合状態を解除すると、第２固定部は第１固定部から分離されるとともに第２係合部は第１係合部から離脱可能となる。これにより、ケース部品は部品取付体から取り外される。
【００１７】
そしてここでは、ケース固定手段を、ケースの第２係合部及び第２固定部の少なくとも何れか一方に組み込むことにより、ケース固定手段がケースの端部から突出される従来の構造に比べ、ケース部品を小型に構成することができる。これにより、遊技機本体の裏面側に設けられる他部品の配置スペースが拡大される。
【００１８】
請求項４に記載の発明は、請求項３記載の遊技機において、前記ケース固定手段は、前記ケースを構成する一方のケース構成部材に設けられた複数の固定部材と、他方のケース構成部材に前記複数の固定部材と対応して設けられた複数の固定部材取付部と、を備え、複数の固定部材の何れか一つが対応する前記固定部材取付部に取り付けられることによりその固定部材と固定部材取付部とは分離不能に固定されてケースを分割不能に固定し、且つ、その固定された固定部材が前記一方のケース構成部材から分断されることによりケースを分割可能に固定解除する構成とされ、前記第２係合部及び前記第２固定部の少なくとも何れか一方には前記固定部材取付部が組み込まれることを特徴としている。
【００１９】
請求項４に記載の発明では、ケース固定手段によりケースを固定する際は、ケースを構成する一方のケース構成部材に設けられた複数の固定部材の何れか一つを、他方のケース構成部材に設けられた複数の固定部材取付部のうちの対応するものに取り付けて固定する。ここで、一度固定された固定部材は固定部材取付部から分離不能となるため、ケースを分割する際は、その固定された固定部材を一方のケース構成部材から分断することにより、一方のケース構成部材と他方のケース構成部材との固定を解除する。
【００２０】
また、次にケースを固定する際は、一方のケース構成部材から分断されていない残りの固定部材の何れか一つを、他方のケース構成部材の対応する固定部材取付部に取り付けて固定し、次にその固定を解除してケースを分割する際は、同様に、現状固定されている固定部材を一方のケース構成部材から分断することにより行う。
【００２１】
このように、このケース固定手段では、ケースを分割する毎に、固定部材が１個づつ一方のケース構成部材から分断されるため、その分断された固定部材の数を確認することにより、ケースを固定解除した回数が識別できるようになる。
【００２２】
またここでは、第２係合部及び第２固定部の少なくとも何れか一方には、固定部材取付部を組み込み、これにより、固定解除の毎に分断される固定部材を組み込んだ場合に問題となる、第２係合部、第２固定部の強度低下を防止することができる。
【００２３】
請求項５に記載の発明は、請求項１〜請求項４の何れか１項記載の遊技機において、前記固定手段は、前記第１固定部に設けられた第１貫通孔及び前記第２固定部に設けられ前記第１貫通孔と同心的に配置される第２貫通孔に挿脱可能とされ、その第１貫通孔及び第２貫通孔に挿通された状態で第２固定部を第１固定部にカシメ固定する留め具とされていることを特徴としている。
【００２４】
請求項５に記載の発明では、部品又はケース部品の取り付けにおいて、部品又はケース部品の第２固定部が部品取付体の第１固定部に対応して配置されると、第１固定部に設けられた第１貫通孔には、第２固定部に設けられた第２貫通孔が同心的に配置される。これらの第１貫通孔及び第２貫通孔に留め具が挿通され第２固定部は第１固定部にカシメ固定される。また、留め具によるカシメ固定を解除し留め具を第１貫通孔及び第２貫通孔から離脱させると、第２固定部は第１固定部から分離可能となる。このような留め具を用いることにより、固定手段の構成は簡素化され、さらに、汎用されている既製品のファスナー（ナイロンリベット）等の留め具を使用すれば、固定手段のコストを抑えることができる。
【００２５】
【発明の実施の形態】
以下、図面を参照して本発明の実施の形態について説明する。
【００２６】
［第１の実施形態］
（パチンコ機の構成）
図１及び図２には、本発明の第１の実施形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる合成樹脂製の下飾り２０が取り付けられている。
【００２７】
内枠１４の前面上部には、ガラス板２２を装着したガラスフレーム２４を窓部に備えるガラス枠２６が配置されており、ガラス枠２６は左側端部が内枠１４に軸支されて開閉可能に取り付けられている。また、ガラスフレーム２４に装着されたガラス板２２は、図２の紙面奥行き方向に所定の間隔で互いに平行に配置された一対のガラス板からなる二重構造となっている。この内枠１４の上部におけるガラス枠２６裏面側には、交換可能とされた遊技盤１００がセットされており、遊技盤１００は、ガラス枠２６を内枠１４に閉塞した状態でガラス枠２６（ガラス板２２）に覆われるようになっている。
【００２８】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２９】
また、内枠１４の前面下部には、通常の上皿及び下皿の機能を有する一体皿３０が配置されている。一体皿３０は、パネル部材２７の左側端部が内枠１４に軸支されて開閉可能に取り付けられており、パネル部材２７の前面には、上部に遊技球を貯える球皿部２８が形成された球皿本体２９が突設されている。さらに、パネル部材２７の前面には、左側下部に灰皿３２が配置され右側端部には打球の飛距離を調整するための発射ハンドル３４が取り付けられている。
【００３０】
一体皿３０（パネル部材２７）の裏面には、発射ハンドル３４の基端部がネジ止めされてその基端固定部分を補強する板金製の発射ハンドル補強板３６と、球皿部２８に貯められた遊技球が送り込まれる球送り装置（整流器）３８とが取り付けられている。また、内枠１４の下部における一体皿３０裏面側には、遊技盤１００の左下に発射装置４０が配置され球皿本体２９の後方に位置して貯球タンク４２が取り付けられており、これらの発射装置４０及び貯球タンク４２は一体皿３０に覆われるようになっている。
【００３１】
図３に示すように、内枠１４の裏面には、矩形枠状の裏セット１５０が取り付けられている。裏セット１５０の上部左側には、島設備の球補給装置から供給される遊技球を貯える貯留タンク１５２が配設されており、貯留タンク１５２の下方には球整列樋（下タンク）１５４が取り付けられている。
【００３２】
貯留タンク１５２は、底面が裏面視左側へ向けて下り傾斜されその左側最下端部に排出口が形成されており、タンク内に貯えた遊技球を左側へ流下させて排出口から落下・排出する。貯留タンク１５２から排出された遊技球は、球整列樋１５４に収容され、裏面視右側へ向けて下り傾斜されたその球整列樋１５４により、右側へ流下しながら球詰まりとならないよう前後方向（図３の紙面奥行き方向）に２列に整列されて、裏セット１５０の右側端部に設けられた球導入通路１５６へ送られる。
【００３３】
球導入通路１５６は、球整列樋１５４と対応して前後方向に隣接配置された一対の通路からなる２条構造とされており、球整列樋１５４に接続された上端部から下方に向けて蛇行状に延設され、下端部が賞球ケース（球払出装置）１５７に接続されている。このように、球導入通路１５６が蛇行状とされていることにより、通路の下流側に滞留した遊技球に掛かる上流側の遊技球による圧力が抑えられ、球詰まりが発生しなようにされている。
【００３４】
賞球ケース１５７は、裏セット１５０に着脱可能に取り付けられており、ケース内には、球払出機構やその駆動源となるモータ等が設けられている。また賞球ケース１５７の下方には、裏セット１５０に設けられた賞球排出通路１５８及び貸球排出通路１６０が位置しており、これらの賞球排出通路１５８及び貸球排出通路１６０は、パチンコ機１０の左右幅方に所定の間隔で配置されるとともにそれぞれ下方に向けて延出されている。そして、球導入通路１５６から賞球ケース１５７へ導入された遊技球は、賞球ケース１５７の球払出機構により、「賞球」の払い出し時には賞球排出通路１５８へ、又、「貸球」の払い出し時には貸球排出通路１６０へ振り分けられて払い出される。
【００３５】
この払い出された賞球及び貸球は、図１に示される貯球タンク４２の上面左端部に形成されたタンク入口（図示省略）を介してタンク内へ落下されるようになっている。貯球タンク４２は、タンク底面が正面視右側へ下り傾斜しており、その傾斜方向下流側となる前面右側端部にはタンク出口４４が形成されている。このタンク出口４４は、一体皿３０のパネル部材２７に形成された賞球排出口４６と対応して配置されており、賞球排出口４６はパネル部材２７の前面に設けられた球皿本体２９の球皿部２８と連通している。これにより、賞球ケース１５７からタンク内へ払い出された賞球及び貸球は、タンク底面上を上流側（左側）から下流側（右側）へ転動し、タンク出口４４を介して賞球排出口４６から球皿部２８に排出される。
【００３６】
また、タンク出口４４と賞球排出口４６との各下方位置には、上下方向に移動可能とされたシャッター板４８、５０がそれぞれ設けられている。このシャッター板４８、５０は、図２に示すように一体皿３０が閉塞された状態では各々下方へ移動してタンク出口４４と賞球排出口４６とを連通させ、図１に示すように一体皿３０が開放されると各々上方へ移動して、シャッター板４８はタンク出口４４の下縁側を、シャッター板５０は賞球排出口４６の下縁側を塞ぐようになっている。これにより、一体皿３０を開放した際に球皿部２８及び貯球タンク４２から遊技球（賞球）がこぼれ出さないようにされている。
【００３７】
また、図３に示すように、裏セット１５０には、右側上部に音声制御基板１６２が取り付けられ、下部略中央に払出制御基板１６４が取り付けられており、遊技盤１００の裏面１００Ｂには、図柄表示基板１６６、ランプ制御基板１６８、及び主基板１７０が取り付けられている。
【００３８】
さらに、内枠１４裏面の右側端部（裏面視左側端部）には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿３０を閉じた際は、発射ハンドル補強板３６の鍵受け開口部７０Ａ、７０Ｂが一体皿ユニット固定用フック７４Ａ、７４Ｂに係合して一体皿３０は内枠１４に固定される。
【００３９】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿３０は内枠１４にロックされて、それぞれ閉塞状態に固定される。
【００４０】
（遊技盤の構成）
図１に示すように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００４１】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００４２】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００４３】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿３０等を備えるとともに遊技盤１００が搭載された内枠１４によって構成されており、それらの内枠１４、ガラス枠２６、一体皿３０、及び裏セット１５０等は全て樹脂成形品とされている。
【００４４】
（パチンコ機の遊技仕様）
次に、パチンコ機１０の遊技仕様の概略について説明する。
【００４５】
パチンコ機１０による遊技では、遊技者が発射ハンドル３４を操作すると、一体皿３０の球皿部２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００４６】
また、遊技球が入賞口１１８に入賞すると、球払出装置である賞球ケース１５７が作動して所定数（例えば５個）の賞球を払い出し、その払い出された賞球は、貯球タンク４２内を通りタンク出口４４を介して賞球排出口４６から球皿部２８に排出される。
【００４７】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００４８】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００４９】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより一体皿３０の球皿部２８が満杯になると、球皿部２８に貯え切れなくなった分の賞球は貯球タンク４２内に貯球される。
【００５０】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置の回転時間が短縮され始動口１１０が開放し易くなって球持ちをよくする「時短機能」といった付加機能が作動して、遊技者にとって有利な遊技状態が展開される。
【００５１】
（主基板の構成及び取付構造）
次に、図４〜図９を用いて本実施の形態に係る主基板１７０の構成及び取付構造について詳細に説明する。
【００５２】
図４〜図６に示すように、主基板１７０は、遊技盤１００の裏面１００Ｂの下部側に、アダプター１８０を介して取り付けられており、またその取り付けには、汎用されている既製品のファスナー（ナイロンリベット）１７２が用いられている。
【００５３】
アダプター１８０は合成樹脂製とされ、図示のように上面及び遊技盤１００への取付側となる前面が開口した箱状に形成されている。アダプター１８０の左側壁１８２Ｌ及び右側壁１８２Ｒの前端部には、それぞれ外側方向へ突出された脚部１８４Ｌ、１８４Ｒが設けられており、これらの脚部１８４Ｌ、１８４Ｒに形成された複数の取付孔に図示しないネジが挿通され、アダプター１８０は遊技盤１００の裏面１００Ｂに取り付けられている。
【００５４】
アダプター１８０の後壁１８６には、裏面視の右側部に、前方側へクランク状に屈曲された段差部１８８が設けられている。この段差部１８８の右側端部は右側壁１８２Ｒの内面略中央部と繋がれており、段差部１８８の後面には凹部１９０が設けられ、右側壁１８２Ｒの内面には矩形状の係合孔１９２が形成されている。また、後壁１８６の裏面視左上隅近傍には、円形で、ファスナー１７２の先端側に拡縮可能に設けられた拡縮部（カシメ固定部）１７４が挿通可能な所定径寸法の貫通孔１９４が形成されている。
【００５５】
図７に示すように、主基板１７０は、パチンコ機本体を電気的に制御する主制御基板（回路基板）２００を備えており、この主制御基板２００が、透明樹脂製のケース本体２０２及びケースカバー２０４からなる基板ケース２０６の内部に収納されて被覆されている。
【００５６】
主制御基板２００は横長の略矩形状とされ、後面の上端部近傍及び左下角部近傍には、音声制御基板１６２や払出制御基板１６４等の他の制御基板（図３参照）、及び電源ユニット等と電気的に配線接続するための複数のコネクター２０８が実装されており、他にも、ＣＰＵ、ＲＯＭ、ＲＡＭ等の図示しない電子部品が多数搭載されている。また、主制御基板２００の左上、右上、及び右下角部には取付孔２１０がそれぞれ形成されている。
【００５７】
ケース本体２０２は、主制御基板２００よりも一回り大きい略矩形の板状とされており、後面の上縁部、下縁部、及び左側縁部には周リブ２１２Ｕ、２１２Ｄ、２１２Ｌが延設され右側縁は開口している。上側の周リブ２１２Ｕと下側の周リブ２１２Ｄの先端（後端）内縁には、それぞれ内方へ突出された爪部２１４Ｕ、２１４Ｄが３個づつ設けられている。左側の周リブ２１２Ｌの内面には、上部及び下部の所定位置に矩形孔２１６が２個設けられており、周リブ２１２Ｌの外面（左側面）の上下方向略中央には、略三角形の板状とされた固定部２１８が設けられている。この固定部２１８には、アダプター１８０の貫通孔１９４と対応する、円形で貫通孔１９４と略同径の貫通孔２２０が形成されている。
【００５８】
また、ケース本体２０２の後面には、周リブ２１２Ｕの少し内側（下方部位）と周リブ２１２Ｄの少し内側（上方部位）とに、周リブ２１２Ｕ、２１２Ｄに沿って配列されるとともに爪部２１４Ｕ、２１４Ｄの高さ位置よりも所定寸法低くされた４対の凸片部２２２Ｕ、２２２Ｄが設けられている。これらの凸片部２２２Ｕ、２２２Ｄはそれぞれ、左右の側端部近傍に１個づつと、爪部２１４Ｕ同士の隙間２箇所及び爪部２１４Ｄ同士の隙間２箇所に各１個づつ配置されている。また、爪部２１４Ｕと凸片部２２２Ｕとの隙間、及び、爪部２１４Ｄと凸片部２２２Ｄとの隙間は、同寸法とされており、凸片部２２２Ｕと凸片部２２２Ｄとの内寸法は、主制御基板２００の短手方向（図７の上下方向）の長さ寸法よりも僅かに大きくされている。
【００５９】
さらに、ケース本体２０２の後面には、左上、右上、及び右下角部に、主制御基板２００の取付孔２１０と対応する取付孔２２４が軸心部に形成されたボス２２６がそれぞれ突設されている。このボス２２６は、凸片部２２２Ｕ、２２２Ｄよりも少し低くされており、それらの高さ寸法の差は、主制御基板２００の厚さ寸法とほぼ同じにされている。
【００６０】
また、ケース本体２０２の前面には、右側端部（前面視左側端部）の下側に位置して脚部２２８が設けられている。脚部２２８は、前方へ突出され、平面視がＬ字状とされて先端部が外側方向（裏面視右方向）へ向けられており、その脚部２２８の先端部には、ケース固定手段の一方を構成するネジ固定ブロック２３０が組み込まれている。
【００６１】
図７及び図８に示すように、ネジ固定ブロック２３０は略直方体形状（ブロック状）とされており、ネジ固定ブロック２３０右側面の後縁部には、ネジ固定ブロック２３０よりも薄肉の平板状で右方向へ突出された係合片２３２が一体的に設けられている。また、このネジ固定ブロック２３０には、同形状の４個の筒部２３４が一体的に設けられている。
【００６２】
４個の筒部２３４は、軸線が前後方向と略平行になる向きで、ケース本体２０２の右辺部（ネジ固定ブロック２３０の長手方向）に沿って同ピッチで配列されており、それぞれ、ネジ固定ブロック２３０の前面から前方へ突出されている（図８（Ａ）、（Ｃ）参照）。
【００６３】
図９（Ａ）に示すように、筒部２３４の軸心部には、有底の円形孔２３６が形成されている。円形孔２３６の開口縁部には凹部２３８が設けられ、この凹部２３８には、薄肉の金属板を加工して形成された係合プレート２４０が埋設されている。なお、この凹部２３８及び係合プレート２４０は、４個の円形孔２３６に跨る大きさの単一の略楕円状とされている。
【００６４】
係合プレート２４０には、４個の円形孔２３６と対応する部位に、図９（Ｄ）に示すような花冠形（略Ｘ状）の孔部２４２がそれぞれ形成されている。この孔部２４２の中心は、係合プレート２４０が凹部２３８に嵌め込まれると円形孔２３６の中心にほぼ位置合わせされるようになっている。また、孔部２４２の内側へ突出された４個の突片２４４の各先端部に接する内接円の直径は、円形孔２３６の直径よりも少し小さくされており、各突片２４４は、基端部から前方へ少し屈曲されて先端側が円形孔２３６側へ傾けられている。
【００６５】
ネジ固定ブロック２３０の後面には、合成樹脂製で、４個の円形孔２３６に跨る大きさとされた単一の蓋部材２４６が固着されている。蓋部材２４６には、各円形孔２３６（係合プレート２４０の各孔部２４２）と対応する部位に、後面側に円形凹部２４８が設けらた段付き孔２５０がそれぞれ形成されている。この段付き孔２５０は、円形孔２３６よりも少し大径とされており、蓋部材２４６がネジ固定ブロック２３０に取り付けられると、円形孔２３６とほぼ同心に配置されるようになっている。この蓋部材２４６により、係合プレート２４０は凹部２３８から脱落しないようネジ固定ブロック２３０に取り付けられている。
【００６６】
一方、ケースカバー２０４は、図７に示すように、前面が開口した矩形箱状とされている。このケースカバー２０４の高さ寸法は、ケース本体２０２の周リブ２１２Ｕ及び周リブ２１２Ｄの内寸法より僅かに小さくされ、左右方向の長さ寸法は、ケース本体２０２の長さ寸法よりも少し小さくされている。
【００６７】
ケースカバー２０４の上端部近傍及び左下角部近傍には、主制御基板２００の各コネクター２０８と対応する複数の矩形孔２５２が形成されている。ケースカバー２０４前面の左上、右上、及び右下角部（前面視左下角部）には、主制御基板２００の取付孔２１０（ケース本体２０２の取付孔２２４）と対応するネジ孔２５４が軸心部に形成されたボス（図示省略）がそれぞれ突設されている。また、ケースカバー２０４の左側縁には、ケース本体２０２の各矩形孔２１６と対応する突起部２５６が２個設けられており、右側縁の下側には、ケース固定手段の他方を構成する筒体ユニット２６０が一体的に設けられている。
【００６８】
図７及び図８に示すように、筒体ユニット２６０は、ネジ固定ブロック２３０の各筒部２３４と対応する、同形状の４個の円筒部材２６２を備えている。４個の円筒部材２６２は、軸線が前後方向と略平行になる向きで、ケースカバー２０４の右辺部に沿って同ピッチで配列されており、このピッチは、ネジ固定ブロック２３０に設けられた筒部２３４のピッチに合わせられている。また、これらの円筒部材２６２は、ケースカバー２０４に主連結片２６４によってそれぞれ連結されており、円筒部材２６２同士は副連結片２６６によって連結されている。
【００６９】
図９（Ａ）に示すように、円筒部材２６２の先端（前端）側には、小径部２６８が設けられている。小径部２６８の外径は、蓋部材２４６に設けられた円形凹部２４８の内径よりも僅かに小さくされており、小径部２６８に形成された円形孔２７０は、蓋部材２４６の段付き孔２５０と同径とされている。
【００７０】
この円筒部材２６２の内部には、専用のネジ２７２が収納されている。ネジ２７２は、頭部にプラス溝２７４が形成され、先端から軸方向の中間部付近までは、筒部２３４の円形孔２３６と略同径又は少し大きい径寸法の雄ネジ２７６が形成されている。さらに、雄ネジ２７６よりも少し基端側の軸方向の略中間部には、所定深さの周溝２７８が形成されている。
【００７１】
このネジ２７２が円筒部材２６２に挿入された状態で、円筒部材２６２の基端（後端）側の開口２７１には、合成樹脂製のキャップ２８０が嵌め込まれて固着されている。キャップ２８０は、円形のフランジ２８２を備えるリング状とされており（図８（Ｂ）参照）、軸心部に形成された円形孔２８４は、ドライバーＤが挿入可能な径寸法とされている。このキャップ２８０によって、円筒部材２６２の開口２７１は封止され、ネジ２７２は円筒部材２６２から抜け出さないように収納及び保持されている。
【００７２】
主基板１７０は、これらの主制御基板２００、ケース本体２０２、ケースカバー２０４を備えており、その組み立てでは、図７に示す向きで、主制御基板２００にケースカバー２０４を被せ、そのサブユニットを、ケース本体２０２の右側端部から周リブ２１２Ｕと周リブ２１２Ｄの間に嵌め入れるようにして行う。
【００７３】
ここで、主制御基板２００は、ケース本体２０２の凸片部２２２Ｕ、２２２Ｄの間に配置され、ケースカバー２０４は、上縁部及び下縁部が、ケース本体２０２の爪部２１４Ｕ、２１４Ｄ及び凸片部２２２Ｕ、２２２Ｄの隙間に嵌め込まれて係合する。そして、主制御基板２００及びケースカバー２０４をケース本体２０２の周リブ２１２Ｌに突き当たるまで嵌め入れると、ケースカバー２０４の各突起部２５６がケース本体２０２の各矩形孔２１６に嵌合し、ケースカバー２０４の左側端部はケース本体２０２に強固に連結され、また主制御基板２００の左上、右上、及び右下角部はボス２２６に支持される。
【００７４】
この状態で、ケース本体２０２の各取付孔２２４には、主制御基板２００の各取付孔２１０、及び、ケースカバー２０４の各ネジ孔２５４が位置合わせされ、ネジ固定ブロック２３０には筒体ユニット２６０が位置合わせされる。
【００７５】
そして、図示しない３本のネジをケース本体２０２の前面側から各取付孔２２４に挿入し、各ネジ孔２５４にねじ込むことにより、主制御基板２００及びケースカバー２０４はケース本体２０２に取り付けられる。これにより、主制御基板２００は、ケース本体２０２及びケースカバー２０４からなる基板ケース２０６の内部に収納されて被覆され、基板上の電気部品が他の導電部品との接触によるショートや損傷等から保護される。また、主制御基板２００の各コネクター２０８は、ケースカバー２０４の各矩形孔２５２を通して外部に露出され、それらのコネクター２０８に配線を接続することにより、主制御基板２００と、他の制御基板や電源ユニット等とが電気的に接続される。
【００７６】
また、ネジ固定ブロック２３０と筒体ユニット２６０を用いた基板ケース２０６の固定は、パチンコ機１０の工場出荷時には、筒体ユニット２６０に設けられた４本のネジ２７２のうちの１本のみを締結し、ホールでのパチンコ機１０の検査又は修理により、基板ケース２０６を分解し再固定する毎に、未締結のネジ２７２を１本づつ締結するようにして行う。
【００７７】
以下、このネジ固定ブロック２３０と筒体ユニット２６０との固定及び固定解除方法について説明する。
【００７８】
パチンコ機１０の製造工程で、上述した手順によりケース本体２０２にケースカバー２０４が組み付けられると、図９（Ｂ）に示すように、ネジ固定ブロック２３０の各円形凹部２４８には、対応する円筒部材２６２の小径部２６８の先端が嵌合して、各円筒部材２６２は各筒部２３４に同軸的に配置される。そして、４個の円筒部材２６２にうちの１個、例えば、図８（Ｂ）、（Ｃ）に示す主基板１７０の最下方に位置する円筒部材２６２のネジ２７２をネジ固定ブロック２３０に締結する。
【００７９】
まず、ドライバーＤの先端を、キャップ２８０の円形孔２８４から円筒部材２６２内へ挿入してネジ２７２頭部のプラス溝２７４に嵌め合わせ、ネジ２７２を押しながら所定方向に回転させねじ込んでいく。このねじ込みで、ネジ２７２の雄ネジ２７６が、係合プレート２４０の突片２４４に螺合すると、それに伴い、突片２４４はねじ込み方向に弾性変形する（図９（Ｂ）参照）。この弾性力により突片２４４は雄ネジ２７６に強い力で螺合するため、後は、ネジ２７２を強く押さなくても、回転操作のみで容易にねじ込むことができる。そして、ねじ込みが進むに従い、孔部２４２を挿通した雄ネジ２７６は筒部２３４の円形孔２３６にねじ込まれ、さらに雄ネジ２７６が突片２４４を通過し、突片２４４に周溝２７８が達すると、図９（Ｃ）に示すように、突片２４４は弾性力によって元に形状に復帰し周溝２７８に嵌まり込み、円筒部材２６２の小径部２６８はネジ２７２の頭部によりネジ固定ブロック２３０側に押え付けられる。これにより、ネジ２７２の締め付けが完了し、筒体ユニット２６０が１個の円筒部材２６２を介してネジ固定ブロック２３０に固定され、基板ケース２０６は分割不能となる。
【００８０】
また、パチンコ機１０の検査等により、基板ケース２０６を分割（分解）する場合には、筒体ユニット２６０とネジ固定ブロック２３０の固定を解除する必要がある。ここで、上述した締結済みのネジ２７２を締結解除するため、ドライバーＤを用いてネジ２７２をねじ込み方向とは逆方向に回転させても、ネジ２７２は、周溝２７８が係合プレート２４０の突片２４４に保持されているため空回りするだけである。このように、一度固定された円筒部材２６２はネジ固定ブロック２３０から分離不能となるため、基板ケース２０６を分割する際は、その固定された円筒部材２６２をケースカバー２０４から分断することにより行う。
【００８１】
この円筒部材２６２の分断は、ケースカバー２０４との連結部である主連結片２６４と、隣接する円筒部材２６２との連結部である副連結片２６６とを、ニッパー等によりカットすることで行う。これにより、基板ケース２０６の固定が解除され、ケース本体２０２と基板ケース２０６は分割可能となる。
【００８２】
また、検査後に基板ケース２０６を再び固定する場合は、筒体ユニット２６０の未固定３個の円筒部材２６２にうちの１個、例えば、図８（Ｂ）、（Ｃ）に示す主基板１７０の下から２番目に位置する円筒部材２６２のネジ２７２を、上述した手順でネジ固定ブロック２３０に締結する。以下、同様に、パチンコ機１０の検査等で基板ケース２０６を分解する毎に、固定されている円筒部材２６２をケースカバー２０４から分断し、また、再固定する毎に、残りの円筒部材２６２を１個づつ固定する。したがって、本実施形態のように４個の円筒部材２６２を備える主基板１７０では、出荷時に固定された１個除くと、基板ケース２０６の分割及び再固定が３回まで可能である。
【００８３】
また、このケース固定手段では、基板ケース２０６を分割する毎に、円筒部材２６２が１個づつケースカバー２０４から分断されるため、その分断された円筒部材２６２の数を確認することにより、あるいは、締結されたネジ２７２の本数を確認することにより、基板ケース２０６を固定解除した回数が識別できるようになる。そして基板ケース２０６の固定解除回数は検査の際にチェックされるため、基板ケース２０６を任意に分割して主制御基板２００のＲＯＭを交換するような不正な改造行為が防止される。
【００８４】
（主基板の着脱方法及び作用）
次に、本実施形態の主基板１７０の着脱方法及び作用について説明する。
【００８５】
主基板１７０を遊技盤１００の裏面１００Ｂ側に取り付ける際は、通常は、図５及び図６に示すように、主基板１７０を遊技盤１００と略平行な向きにしてアダプター１８０に近づけ、脚部２２８をアダプター１８０の段差部１８８に位置合わせしながらケース本体２０２の前面をアダプター１８０の後壁１８６に密接させセットする。次に、主基板１７０を裏面視右方向へスライドさせ、ケース本体２０２のネジ固定ブロック２３０に設けられた係合片２３２を、アダプター１８０の右側壁１８２Ｒ内面に形成された係合孔１９２に嵌め込む。作業者は、この一連の操作において、主基板１７０の脚部２２８及び係合片２３２と、アダプター１８０の段差部１８８及び係合孔１９２とが視認できるため、容易に位置合わせして嵌め込むことができる。
【００８６】
係合孔１９２に係合片２３２が嵌め込まれると、係合片２３２は係合孔１９２の孔縁に係合する。また、ネジ固定ブロック２３０の先端部が右側壁１８２Ｒの内壁に当接した位置で、主基板１７０の固定部２１８に設けられた貫通孔２２０は、アダプター１８０の貫通孔１９４に略同心的に位置合わせされる。
【００８７】
最後に、ファスナー１７２の先端部（拡縮部１７４）を、貫通孔２２０及び貫通孔１９４に挿通させ、ファスナー１７２の頭部を強く押し込むと、ファスナー１７２の拡縮部１７４が弾性的に拡開変形して固定部２１８はアダプター１８０にカシメ固定される。これにより、主基板１７０は、アダプター１８０を介して遊技盤１００の裏面１００Ｂ側に取り付けられる（図４の状態）。
【００８８】
また、主基板１７０を取り外す際は、ファスナー１７２の頭部を摘んで引っ張ると、拡縮部１７４が弾性力によって収縮変形しカシメ固定が解除される。さらに、そのままファスナー１７２を引っ張り、拡縮部１７４を貫通孔２２０及び貫通孔１９４から抜き出すと、固定部２１８の固定は解除される。そして、主基板１７０を裏面視左方向へスライドさせ、係合片２３２を係合孔１９２から抜き出して離脱させると、係合片２３２と係合孔１９２との係合状態が解除されて、主基板１７０はアダプター１８０から取り外される。
【００８９】
また、本実施の形態では、アダプター１８０の係合孔１９２は、外枠１２に一側部（裏面視右側端部）が軸支され開閉可能とされた内枠１４（遊技機本体）の、その一側部と同じ側の側部に配置されており、また貫通孔１９４は、一側部とは反対側の側部に配置されている。すなわち、係合孔１９２及び貫通孔１９４は、外枠１２の支軸と略直交する向きに沿って配列されるとともに、係合孔１９２は支軸側に、貫通孔１９４は開放端側に配設される。これにより、主基板１７０の取り付けでは、内枠１４の開放量を大きくしなくても、すなわち内枠１４の裏面側に設ける作業スペースが小さくても、主基板１７０を内枠１４の開放された他側部側から裏面側に進入させて、その進入方向の奥側に配置されたアダプター１８０の係合孔１９２に係合片２３２を係合させるとともに、進入方向の手前側に配置されたアダプター１８０の貫通孔１９４に固定部２１８を固定することができる。また、主基板１７０を取り外す際も同様に、内枠１４の開放量を大きくしなくても、内枠１４を開放すると内枠１４裏面の開放端側に現れる固定部２１８をアダプター１８０の貫通孔１９４から取り外し、奥側の係合片２３２をアダプター１８０の係合孔１９２から離脱させて、そのまま主基板１７０を開放端側に移動させ取り外すことができる。
【００９０】
以上説明したように、本実施の形態に係るパチンコ機１０では、内枠１４を大きく開かなくても主基板１７０が着脱できるため、主基板１７０を容易且つ迅速に着脱できるようになる。
【００９１】
また、本実施の形態では、ケース固定手段（ネジ固定ブロック２３０）を、係合片２３２を設けた脚部２２８に組み込んでいることにより、主基板１７０（基板ケース２０６）を小型に構成することができる。これにより、パチンコ機１０の裏面側に設けられる他部品の配置スペースが拡大される。
【００９２】
また、本実施の形態では、上記の脚部２２８に、ケース固定手段のネジ固定ブロック２３０を組み込んでいることにより、固定解除の毎に円筒部材２６２が分断される筒体ユニット２６０を組み込んだ場合に問題となる脚部２２８の強度低下を防止することができる。
【００９３】
さらに、本実施の形態では、主基板１７０をアダプター１８０に固定するための固定手段に、既製品のファスナー１７２を用いていることにより、固定手段の構成が簡素化されるとともにコストが抑えられる。
【００９４】
［第２の実施形態］
次に、図１０を用いて本発明の第２の実施形態について説明する。
【００９５】
図１０に示される第２の実施形態に係る遊技盤３００では、遊技盤３００の裏面３００Ｂに、遊技盤３００の裏面３００Ｂ側に配設される機構部品や電気部品等を取り付けるためのセット板３０２が取り付けられている。セット板３０２は合成樹脂製で、遊技盤３００の略中央に配設される特別図柄表示装置１０６と対応する部位が略矩形状に開口された枠状に形成されている（開口３０４）。また、セット板３０２の下部側における左右側端部の所定位置には、一対のピン３０６が一体的に設けられている。
【００９６】
この遊技盤３００の裏面３００Ｂ側には、第１実施形態と同じ主基板１７０がアダプター１８０を介して取り付けられる。ここで、アダプター１８０は、脚部１８４Ｌ、１８４Ｒに形成された一対の位置決め孔３０８が、セット板３０２の一対のピン３０６にそれぞれ嵌め入れられることにより、セット板３０２と相対的に位置決めされて遊技盤３００の裏面３００Ｂにネジ止め固定される。
【００９７】
このように、アダプター１８０がセット板３０２を介して遊技盤３００の裏面３００Ｂに取り付けられる形態においても、主基板１７０を容易且つ迅速に着脱することができるなどの、第１実施形態と同じ作用・効果が得られる。
【００９８】
以上、本発明を上述した第１及び第２の実施形態により詳細に説明したが、本発明はそれらに限定されるものではなく、本発明の範囲内にて他の種々の実施形態が可能である。
【００９９】
例えば、上述した実施の形態では、遊技機の裏面側に着脱可能に設けられる部品について、遊技盤１００、３００の裏面側に取り付けられる主基板１７０を例に説明したが、このパチンコ機１０の場合であれば、裏セット１５０に取り付けられる払出制御基板１６４、又は、ケース固定手段を備えていない音声制御基板１６２等の他のケース部品、あるいは、ケースを備えない他の部品についても同様に本発明を適用することができる。また払出制御基板１６４等の場合は、アダプター１８０に設けた係合孔１９２等の第１係合部、及び、貫通孔１９４等の第１固定部を裏セット１５０に設けることにより、裏セット１５０が部品取付体となる。
【０１００】
また、部品（主基板１７０）を部品取付体（アダプター１８０）に固定するための固定手段については、上述したファスナー１７２に限らず、例えば、弾性変形可能に構成されたフック、あるいは、往復動可能に構成されたスライダーや回動可能に構成されたロック部材等の他の固定手段を用いてもよい。また、基板ケース２０６を分割不能に固定するためのケース固定手段（ネジ固定ブロック２３０）については、固定部２１８に組み込むことも可能である。
【０１０１】
また、部品取付体に設ける第１係合部及び第１固定部と、ケース部品に設ける第２係合部及び第２固定部とは、上下に相対配置することも可能である。その場合でも、ケース固定手段を、第２係合部及び第２固定部の少なくとも何れか一方に組み込むことにより、ケース部品を小型に構成することができて、他部品の配置スペースを拡大する効果が得られる。
【０１０２】
また、本発明は、パチンコ機に限らずパチスロ機等の他の遊技機にも適用することがきる。
【０１０３】
【発明の効果】
本発明の遊技機は上記構成としたので、遊技機の裏面側に設けられる部品を容易且つ迅速に着脱することができる。また、遊技機の裏面側に設けられる部品が小型化され他部品の配置スペースを拡大することができる。
【図面の簡単な説明】
【図１】本発明の第１の実施形態に係るパチンコ機を示した斜視図である。
【図２】本発明の第１の実施形態に係るパチンコ機を示した正面図である。
【図３】本発明の第１の実施形態に係るパチンコ機の内枠を示した裏面図である。
【図４】本発明の第１の実施形態に係る遊技盤の裏面側に主基板が取り付けられた状態を示した斜視図である。
【図５】本発明の第１の実施形態に係る遊技盤の裏面側に取り付けられるアダプター及び主基板が分離された状態を示した裏面視左側から見た斜視図である。
【図６】本発明の第１の実施形態に係る遊技盤の裏面側に取り付けられるアダプター及び主基板が分離された状態を示した裏面視右側から見た斜視図である。
【図７】本発明の第１の実施形態に係る主基板を示した分解斜視図である。
【図８】本発明の第１の実施形態に係る主基板を示した（Ａ）が平面図、（Ｂ）が裏面図、（Ｃ）が裏面視右側面図である。
【図９】本発明の第１の実施形態に係る円筒部材をネジ固定ブロック２３０に固定する手順を示した（Ａ）が固定前の状態の部分断面図、（Ｂ）が固定途中の状態の部分断面図、（Ｃ）が固定完了状態の部分断面図であり、（Ｄ）は本発明の第１の実施形態に係る係合プレートの孔部を示した平面図である。
【図１０】本発明の第２の実施形態に係る遊技盤の裏面側に取り付けられるアダプター及び主基板が分離された状態を示した斜視図である。
【符号の説明】
１０        パチンコ機（遊技機）
１２        外枠（遊技機枠）
１４        内枠（遊技機本体）
１００        遊技盤
１００Ｂ      裏面（裏面側）
１７０        主基板（部品／ケース部品）
１７２        ファスナー（固定手段／留め具）
１８０        アダプター（部品取付体）
１９２        係合孔１９２（第１係合部）
１９４        貫通孔（第１固定部／第１貫通孔）
２００        主制御基板（制御基板）
２０２        ケース本体（他方のケース部材）
２０４        ケースカバー（一方のケース部材）
２０６        基板ケース（ケース）
２１８        固定部（第２固定部）
２２０        貫通孔（第２貫通孔）
２２８        脚部（第２係合部）
２３０        ネジ固定ブロック（ケース固定手段）
２３２        係合片（第２係合部）
２３４        筒部（固定部材取付部）
２３６        円形孔（固定部材取付部）
２４２        孔部（固定部材取付部）
２４４        突片（固定部材取付部）
２５０        段付き孔（固定部材取付部）
２６０        筒体ユニット（ケース固定手段）
２６２        円筒部材（固定部材）
２７２        ネジ（固定部材）
【図１】
2004337194.tif 000003
【図２】
2004337194.tif 000004
【図３】
2004337194.tif 000005
【図４】
2004337194.tif 000006
【図５】
2004337194.tif 000007
【図６】
2004337194.tif 000008
【図７】
2004337194.tif 000009
【図８】
2004337194.tif 000010
【図９】
2004337194.tif 000011
【図１０】
2004337194.tif 000012